Podtech/llm-jp-corpus-v4-ja_patent huggingface dataset:
(57)【要約】【課題】新たな発想と構造によって、小型で、かつてないやさしい音を奏で、またファッショナブルな渦巻き型バックロードホーンエンクロージャーを提供する。【解決手段】音道を、螺旋状に巻いた円筒にすることによって、長い音道を小型で、正確なものとし。その中央に、独立させた、バッフルユニットをフローティングに設ける、背を向け合ったスピーカーの後ろに補強芯を設け音に定位をつけて、さらに音道を調節し好みの音に変えることができること。【選択図】図４
2012050048.tif 000002
【特許請求の範囲】
【請求項１】
丸めた道板▲１▼の両脇を、螺旋状に切り抜いた、側板▲２▼ではさむことにより、正確で長い螺旋の音道を作ることができること。図１、
【請求項２】
センターに音道ホール▲１０▼を設けた円筒▲４▼を二つのバッフル▲３▼で両脇に挟み、スピーカーユニット▲５▼を、前後対象に配置し、音道となる本体▲６▼と、クリアランスをもたせ、独立させたこと。
図２
【請求項３】
背を向け合ったスピーカーユニット▲５▼の間に補強芯▲７▼を設けバッフルユニット▲８▼をフェルト等▲９▼で、浮かせたこと、図４
【請求項４】
左右横に向いたスピーカーに、反射板を設けたこと。図５
【請求項５】
外周に皮や布を張り、共震を押さえる  また、ファッション性をもたせたこと。図５
【発明の詳細な説明】
【発明の詳細な説明】
【０００１】音道が最長で最小型のバックロードホーン型エンクロージャー。
【発明に属する技術分野】
この発明は、新しい形のバックロードホーン型エンクロージャーに関するものである。
【従来の技術１】
【０００２】従来、バックロードホーン式は、大きなエンクロージャーユニットの製品しかなく、多少小型なものでは、音道も、角ばったり短いため、本来の目的を満たせるものではなかった。
【発明が解決しようとする課題】
【０００３】これは、次のような欠点があった。バックロードホーンは、音道を広く長くとるため、複雑で、大きな物と、されていた。
【課題を解決すめるための手段】
【０００４】新しい発想と製作の構想により、簡易に、小型な形で、スピーカーのエンクロージャーの理想の目的を達成できるものである。
【発明を実施するための形態】
【０００５】以下、本発明の実施の形態について説明する。
１、  音道となる道板▲１▼に渦巻き状に切り抜かれた側板▲２▼を両側にはさみ込むことにより、正確で、なめらかで長い音道ができるため、小型でも、澄んだ低音、バックロードホーン特有のやわらかな音を鳴らすことができる、また、道板▲１▼は、鉛板▲１２▼を挟み込む構造にすることにより、箱鳴りを抑え、大音量のシステムにも対応する。図１
２、  本体▲６▼と、バッフルユニット▲８▼を、クリアランスを持たせた、独立した構造にすることにより、ユニット自体の振動、雑音が消え、いままでにない、鮮明な音場を、作ることができる。また中のユニット▲８▼を回転させることにより、音の出口を開閉することが出来るため、中低音を自由に調節することができる、図２、図３
３、  背を向け合ったスピーカーユニットの間に、補強芯を設けることにより、同じ音が出るセンターのモノラル音が、正確にコーンを、押し出し合うため、定位感があり、かつ奥ゆきや広がりのある、そうだいな臨場感が、生まれる。図４
４、  構造状、外周に皮や布を巻きつけることが容易な創りのため、エンクロージャー自体の共振を抑えることができ、しかもファッショナブルな、外観を創れる。図５
５、  構造状ユニットがリスナーに対し、横向きのため、直接音が、聞けない無指向性だが、左右に反射板▲１３▼をつけることによって、正面を向いた、従来のシステムと同じ音場も楽しむことができ、なお閉じる構造にることにより未使用時のユニットの保護にも使える。図５
６、  二つのユニットを使用することにより、さまざまな鳴らし方をすることができるため、状況に合う音場をつくることができる。図６
本、発明は以上のような構造です。
【発明の効果】
従来に無い、小型のバックロードホーン型エンクロージャーです、小径のフルレンジ一組で澄んだ重低音が響き、きめ細やかでやわらかい、音場を再生することができデジタル音源にも最適です。また、低コストで製造でき、外観もファッショナブルな物で、高価で大掛りなシステムが必要なくなります。
【図面の簡単な説明】
【図１】メカニズムの理解図
【図２】バックホーン、音道の流れ
【図３】音道、開閉の構造
【図４】補強芯と全体の構造
【図５】試作品の形
【図６】応用の例
【符号の説明】１、  道板
２、  側板
３、  バッフル
４、  円筒
５、  スピーカーユニット
６、  音道本体
７、  補強芯
８、  バッフルユニット
９、  フェルト
１０、音道ホール
１１、音の流れ
１２、鉛板
１３、反射板
【図１】
2012050048.tif 000003
【図２】
2012050048.tif 000004
【図３】
2012050048.tif 000005
【図４】
2012050048.tif 000006
【図５】
2012050048.tif 000007
【図６】
2012050048.tif 000008
(57)【要約】      （修正有）【課題】犬の運動は主に路上を歩くことであった、夏季は路面の温度が高くなり早朝か夕方にするのが通常であった、又、犬は習性としてマーキングするため住宅街での運動は衛生面での課題であった、高齢になると歩行が遅くなり、人も犬も同じであるがその課題を解決する犬のジョギングカートを提供する。【解決手段】カート１に、犬のジョギング用ベルトコンベヤーと、開閉式幌枠３と、照明器具７とを備えたジョギングカートである。【選択図】図１
2012050422.tif 000002
【特許請求の範囲】
【請求項１】
カートにベルトコンベヤーを備えた、犬のジョギングカートに関する。
【発明の詳細な説明】
【技術分野】
【０００１】  本発明は、カートにベルトコンベヤーを備えた犬のジョギングカートに関する。
【背景技術】
【０００２】  従来犬の運動は路上を歩くことであり所により課題があった。
【発明の開示】
【発明が解決しようとする課題】
【０００３】  これは次のような課題があった。
犬の運動は主に路上を歩くことであって夏季は路面の温度が高くなり、早朝か夕方にするのが通常であった、又、犬はマーキングする習性があり住宅街での運動は衛生面での課題があった。
高齢になると歩行が遅くなり犬に合せるのが大変である、夜間の運動は懐中電灯を携帯する必要があるとき不便であった、又雨での運動も容易でなかった。以上の課題を解決するものである。
【課題を解決するための手段】
【０００４】  カートにベルトコンベヤー、雨具用シート、照明器具を備えることで解決する。
【発明の効果】
【０００５】  真夏犬の運動するとき路面の温度が高くなり犬には苦通であったが犬のジョギングカートに乗せて運動が出来ることで解決する。
運動中犬はマーキングする習性があり住宅街での運動には衛生面で課題がありその問題も解決できる、商店街に買物に行くとき犬のジョギングカートに乗せて行く事で犬の運動も兼られる。雨の時でも濡れることなく運動できる、暗闇でも懐中電灯を必要なく運動出来る、高齢になり歩く速度が遅い人でもカートに付く変速装置によって適度な速度に調整して、人間も、犬も同じ効果が得られる。
以上の発明効果を得ることが出来る
【発明を実施するための最良の形態】
【０００６】  カート１、内部下に図２、５、４ａ４ｂ、８ｂ、９、を取付ける外側に車輪２を取ける、以上の構成から成る犬のジョギングカート。
【図面の簡単な説明】
【０００７】
【図１】  カートの斜視図
【図２】  伝動装置の左側面図
【図３】  伝動装置シヤフトの左側面図
【符号の説明】
【０００８】  １    カート本体
２    車輪
３    開閉式幌枠
４    変速装置
５    内側凸状ベルト
６    シート格納部
７    照明部
８    シヤフト
８ｂ  動力をベルトに伝えるシヤフト及び調整部
９    ベルトを支えるシヤフト
【図１】
2012050422.tif 000003
【図２】
2012050422.tif 000004
【図３】
2012050422.tif 000005
(57)【要約】【課題】  本発明はビーズ製品製作の簡易化を目的とした、貫通穴の内部に突起を付けたビーズを提供する。【解決手段】  ビーズに穴を貫通させ、この穴の内部に突起を設け、ビーズの穴に伸縮性のある糸を通し、つないだビーズの始まりと終わりを、穴の内部の突起に引っ掛けることで固定する。  以上の構成からなる、貫通穴の内部に突起を付けたビーズ。【選択図】図１
2012050797.tif 000002
【特許請求の範囲】
【請求項１】
ビーズ（１）に穴（２）を貫通させ、この穴（２）の内部に突起（３）を設けたことを特徴とする、貫通穴の内部に突起を付けたビーズ。
【発明の詳細な説明】
【技術分野】
【０００１】  本発明はビーズ製品製作の簡易化を目的とした、貫通穴の内部に突起を付けたビーズに関するものである。
【背景技術】
【０００２】  糸に伸縮性のある素材を使用したビーズ製品の製作では、製作の最終段階で糸の先頭と後尾を固め止め結びや接着剤による固定、または熱を加えて素材が変化する現象を利用して固定していた。（特許文献１参照）
【先行技術文献】
【０００３】
【特許文献１】  特開７−１１１９０７号公報
【発明の概要】
【発明が解決しようとする課題】
【０００４】  糸に伸縮性のある素材を使用したビーズ製品の製作において、伸縮性糸の先頭と後尾をつなぐ工程は単純な作業でありながら、伸縮素材の性質上、仕上がり次第では結んだ糸が緩み解けることが予測され、耐久性と審美的観点から客観的に評価されるまでには熟練が要求されていた。
本発明は、以上のような問題点を解決するためになされたものである。
【課題を解決するための手段】
【０００５】  ビーズに穴を貫通させ、この穴の内部に突起を設ける。
ビーズの穴に伸縮性のある糸を通し、つないだビーズの始まりと終わりを、穴の内部の突起に引っ掛けることで固定する。
以上の構成からなる、貫通穴の内部に突起を付けたビーズ。
【発明の効果】
【０００６】  本発明を使用することで、従来、同様のビーズ製品の製作に必要とされる工具や、一定の技術を必要とせず、実用的なビーズ製品の製作が可能となる。
その簡易さから、対象年齢は、従来の比ではなくなり、幅広い年齢層に対してビーズ製品製作の機会を提供できる。
【図面の簡単な説明】
【０００７】
【図１】  本発明の斜視図である。
【図２】  本発明の平面図である。
【図３】  本発明の側面図である。
【図４】  本発明の断面図である。
【図５】  本発明の作り方を示した斜面図である。
【発明を実施するための形態】
【０００８】  以下、本発明の実施の形態を説明する。
ビーズ（１）に穴（２）を貫通させ、この穴（２）の内部に突起を設けたことを特徴とする貫通穴の内部に突起を付けたビーズ。
ブレスレッドを作るとき、糸（５）は伸縮性のある一本の輪の状態で使用し、例えば球体であるビーズ（１）に穴（２）を貫通させ、この穴（２）の内部に糸（５）を引っ掛ける突起を２箇所設ける（図４参照）。
ビーズ（１）の穴（２）に糸（５）を通し、ブレスレッドの始まり（８）と終わり（９）を、穴の内部の突起に引っ掛けることで固定する。
伸縮性のある糸（５）を通すビーズＡ（１）には、穴（２）を貫通させた内部に糸を引っ掛ける突起があり、テグス（６）を使って糸をこの穴（２）に通して、穴に通った糸の反対側の先端Ａ（８）を、内部の突起Ａ（３）に引っ掛けて固定する（図６、図７参照）。
固定したものと反対の、テグスで引っ張っている糸の先端Ｂ（９）に、テグスを使って糸一杯までビーズＢ（７）を通したあと、最初に糸を通したビーズＡ（１）の穴（２）に糸を通し、穴に通した糸の先端Ｂ（９）を、内部の突起Ｂ（４）に引っ掛けて固定する（図８、図９参照）。
他の実施例について説明する。
本発明品は構造を同じにして、連結するビーズＢ（７）の数、大きさとその形状、全体の長さによって用途が分かれ、あらゆるビーズ製品、又はその一部となり得る。
ビーズ製品の例として、リング、ネックレス、イヤリング、ピアス、ブローチ、アンクレット、アームレット、ティアラ、ストラップ、ヘアゴム、置物等の装飾品や、腕念誦などの数珠、バッグ、ドレスなどの服飾品がある。
また、ビーズＡ（１）の外観的形状も球体以外のものがあり、例として多面体、円柱体、錐体のほか、自然な形状を利用したものや、これらを混合させた創造物がある。
【符号の説明】
【０００９】１  ビーズＡ
２  穴
３  内部突起Ａ
４  内部突起Ｂ
５  伸縮糸
６  テグス
７  ビーズＢ
８  糸の先端Ａ
９  糸の先端Ｂ
【図１】
2012050797.tif 000003
【図２】
2012050797.tif 000004
【図３】
2012050797.tif 000005
【図４】
2012050797.tif 000006
【図５】
2012050797.tif 000007
【図６】
2012050797.tif 000008
【図７】
2012050797.tif 000009
【図８】
2012050797.tif 000010
【図９】
2012050797.tif 000011
【手続補正書】
【提出日】平成22年10月15日(2010.10.15)
【手続補正２】
【補正対象書類名】明細書
【補正対象項目名】０００７
【補正方法】変更
【補正の内容】
【０００７】
【図１】本発明の斜視図である。
【図２】本発明の平面図である。
【図３】本発明の側面図である。
【図４】本発明の断面図である。
【図５】本発明の作り方を示した斜面図である。
【図６】本発明の糸の通し方を示した斜視図１である。
【図７】本発明の糸の通し方を示した斜視図２である。
【図８】本発明の糸の通し方を示した斜視図３である。
【図９】本発明の糸の通し方を示した平面図である。。
(57)【要約】【課題】プラスチックの、下た敷きの上にキャスター台を乗せ前後筋肉運動具を提供する。【解決手段】下た敷きの上にキャスター台に足を乗せ椅子に腰を掛け曲後運動を設け、キャスター台を自由に出入りするキャスターを設け、足膝腰を前後運動設け、キャスター台に足膝腰を椅子に腰を掛け前後運動を特徴とする前後筋肉運動具である。【選択図】図１
2012050798.tif 000002
【特許請求の範囲】
【請求項１】
下た敷きの上に、キャスター台を乗せ椅子に腰をかけ両足で前後筋肉運動することで、看護やお年寄りに無理の無い、安全な前後筋肉運動具である、下た敷きの上に。キャスター台を乗せてコントロールする、以上特徴する前後筋肉運動具ある。
【発明の詳細な説明】
【技術分野】本発明は前後筋肉運動により足膝腰の筋肉運動に閑んするものある。
【背景技術】
【０００１】材料は、プラスチックの、下た敷きの、上にキャスター台を乗せ、椅子に腰をかけ、両足で前後運動することで足膝腰の筋肉運動ある。
【先行技術文献】
【０００２】本来、看護や身体に筋肉が衰える為に、両足で前後運動することで足膝腰の筋肉運動である。
【特許文献】
【０００３】下た敷きの上に、キャスター台を乗せ、椅子に腰をかけ両足で前後運動することで、筋肉がつき身体が力ら強くなり、または（図５）に示すたように、前後筋肉運動することである。
【発明の概要】
【０００４】材料は、プラスチック、下た敷き、キャスター台、キャスター、椅子。
【発明が解決しようとする課題】
【０００５】（イ）下た敷きの上にキャスター台を乗せ椅子に腰をかけ両足で前後筋肉運動することで、コントール、しやすくなる。
（ロ）足膝腰を、安全に前後筋肉運動できるように身体がたもたれ本発明は、これらの問題点を解決するためになされたものてある。
【課題を解決するための手段】
【０００６】下た敷きの上に、キャスター台を乗せ椅子に腰をかけ両足で前後筋肉運動することで、看護やお年寄りに無理の無い、安全な前後筋肉運動具ある、下た敷きの上に、キャスター台を乗せてコントロールする、以上を特徴とする前後筋肉運動具ある。
【発明の効果】
【０００７】両足を使って、バランスをとりながら、安全性のある、前後筋肉運動具はきわめて安全である。
【図面の簡単な説明】
【０００８】
【図１】本発明の斜視図
【図２】本発明の一部を切り欠いた側面図
【図３】本発明の下た敷きの実施例図
【図４】本発明のキャスター台の実施例図
【図５】本発明の椅子に足膝腰の実施例図
【図６】本発明のキャスター台のネジ山実施図
【図７】本発明のキャスター本体実施図
【発明を実施するための形態】
【０００９】（１）下た敷きの取っ手（２）下た敷きの厚さ２０ミリ（３）下た敷き（４）キャスター台の厚さ３０ミリ（５）下た敷きのキャスター台の外れ止の縦（３０ミリ）横（１０ミリ）（６）下た敷きの縦の長さ（４５センチ）（７）キャスダー台の縦の長さ（３５センチ）（８）キャスター台の横の長さ（３０センチ）（９）下た敷きの横の長さ（３５センチ）（１０）椅子（１１）キャスター台に足を乗せ前後筋肉運動する（１２）キャスター台の牡ネジ山は大小よって異なる（１３）軸は大小ヨって異なる（１４）ボルト（１５）ダブル・ナット（１６）キャスターカバー（１７）車
【符号の説明】
【０００１０】１下た敷き取っ手
２下た敷きの厚さ２０ミリ
３下た敷き
４キャスター台の厚さ３０ミリ
５下た敷きのキャスター台の外れと止、縦３０ミリ横１０ミリ
６下た敷きの縦の長さ４５センチ
７キャスター台の縦の長さ３５センチ
８キャスター台の横の長さ３０センチ
９下た敷きの横の長さ３５センチ
１０椅子
１１キャスター台に足を乗せ前後筋肉運動する
１２キャスター台の牡ネジ山は大小よって異なる。
１３軸は大小よって異なる。
１４ボルト。
１５ダブル・ナット。
１６キャスターカバー。
１７車
【図１】
2012050798.tif 000003
【図２】
2012050798.tif 000004
【図３】
2012050798.tif 000005
【図４】
2012050798.tif 000006
【図５】
2012050798.tif 000007
【図６】
2012050798.tif 000008
【図７】
2012050798.tif 000009
(57)【要約】      （修正有）【課題】各メーカーはさまざまな突っ張り家具を販売しているが、斜め天井に対応するものは無い。市販の突っ張り棒を斜め天井に適応できるようにする。【解決手段】斜め天井ストッパー部品Ａの下方に揺動可能なようにボルト孔を開け、突っ張り家具パイプ用受け口Ｅを有する受け部品Ｂにネジ締めボルト通し穴Ｄを受け口の軸線に対し直角方向に設けて、概ボルト孔とネジ締めボルト穴を合わせた状態でボルトを通して、斜め天井ストッパ部品Ａと受け部品Ｂが揺動可能に取り付ける。天井に接するストッパー面を天井の角度に合わせて揺動調整可能後、調整後ボルトを締めることで、耐震ジェルを貼付したストッパー面が天井に密着させ突っ張り家具を固定する。【選択図】図１
2012050795.tif 000002
【特許請求の範囲】
【請求項１】
本商品は、各メーカ市販の突っ張り家具の天井設置面部分を交換し『斜め天井適応型の取付部品』であり、日々住宅建築事情が変化している現在、狭小住宅・賃貸住宅等で斜め天井の住宅が増加しているが、斜め天井に対応する商品の販売はなく、消費者は購入をあきらめている現状であり、本商品は、購入者が天井の傾斜にストッパー面を合わせてボルトにネジ締めで角度を固定することで市販の突っ張り家具を使用可能にするための取付部品である。
【発明の詳細な説明】
【技術分野】
【０００１】  本発明は、各メーカー市販突っ張り家具の一部変更による『斜め天井適応型への取付部品』である。
【背景技術】
【０００２】  日々、住宅建築事情が変化している現在、狭小住宅・賃貸住宅等で斜め天井の物件が増加している。各メーカーはさまざまな突っ張り家具を販売しているが、斜め天井に対応できる商品はない。
【発明の概要】
【発明が解決しようとする課題】
【０００３】  各メーカー発売中の製品の天井面ストッパーは固定されているため、斜め天井との隙間ができ、取付が不可能である。本商品は天井設置面を天井の角度に調整できる部品であり、現在市販されている突っ張り家具の最上部分を付け換えることですべての突っ張り家具を『斜め天井適応型』にし、これらの問題を解決するものである。
【課題を解決するための手段】
【０００４】１）  本商品は各メーカ市販の突っ張り家具の固定されて天井面ストッパー部品を換えることで解決できる。
２）  本商品は天井設置面の部品が左右に傾斜できるよう、中央部分に振れる空間と、中心にボルト通しがついており、使用時には個々の天井斜度にあわせて調節後、中心部分のボルトにネジでしっかり固定することで天井と天井設置面を密着させて家具をしっかり固定させる部品である。
【発明の効果】
【０００５】  本商品は各メーカーが市販している突っ張り家具の『斜め天井適応型への取付部品』であり、天井設置面に耐震ジェルを貼付し、天井の斜度とあわせて調節後、中心部分のボルトをネジでしっかり固定することで天井と天井設置面を密着させて家具をしっかり固定させるため、いままでは斜め天井には適さなかった既成の突っ張り家具を使用可能にし、狭い場所で使える収納家具等の選択肢を拡げることができる。
天井設置面の部品は左右自由に角度を調整できるので、あらゆる斜度の天井に対応することができる。
【発明を実施するための形態】
【０００６】以下、本発明の実施の形態を説明する。
Ａ）  斜め天井ストッパー部品（天井設置面に耐震ジェル貼付）
Ｂ）  （Ａ）の受け部品および突っ張り家具パイプ用受口
Ｃ）  （Ａ）＋（Ｂ）の組合わせ図
Ｄ）  ネジ締めボルト通し穴
Ｅ）  突っ張り家具のパイプ受口
Ｆ）  （Ｂ）＋（Ｅ）を下部より見た図
Ｇ）  （Ａ）（Ａ）’（Ｂ）（Ｂ）’（Ｄ）を上部より透視した図
Ｈ）  （Ａ）の左右傾斜図
（ア）直立    （イ）左傾斜    （ウ）右傾斜
図面は突っ張り家具パイプ部分の直径を３ｃｍとしているが、サイズの変更および細かい変更は可能である。
【図１】
2012050795.tif 000003
【図２】
2012050795.tif 000004
【手続補正書】
【提出日】平成22年11月8日(2010.11.8)
【手続補正１】
【補正対象書類名】明細書
【補正対象項目名】全文
【補正方法】変更
【補正の内容】
【発明の詳細な説明】
【技術分野】
【０００１】  本発明は、各メーカー市販突っ張り家具の一部変更による『斜め天井適応型への取付部品』である。
【背景技術】
【０００２】  日々、住宅建築事情が変化している現在、狭小住宅・賃貸住宅等で斜め天井の物件が増加している。各メーカーはさまざまな突っ張り家具を販売しているが、斜め天井に対応できる商品はない。
【発明の概要】
【発明が解決しようとする課題】
【０００３】  各メーカー発売中の製品の天井面ストッパーは固定されているため、斜め天井との隙間ができ、取付が不可能である。本商品は天井設置面を天井の角度に調整できる部品であり、現在市販されている突っ張り家具の最上部分を付け換えることですべての突っ張り家具を『斜め天井適応型』にし、これらの問題を解決するものである。
【課題を解決するための手段】
【０００４】１）  本商品は各メーカ市販の突っ張り家具の固定されて天井面ストッパー部品を換えることで解決できる。
２）  本商品は天井設置面の部品が左右に傾斜できるよう、中央部分に振れる空間と、中心にボルト通しがついており、使用時には個々の天井斜度にあわせて調節後、中心部分のボルトにネジでしっかり固定することで天井と天井設置面を密着させて家具をしっかり固定させる部品である。
【発明の効果】
【０００５】  本商品は各メーカーが市販している突っ張り家具の『斜め天井適応型への取付部品』であり、天井設置面に耐震ジェルを貼付し、天井の斜度とあわせて調節後、中心部分のボルトをネジでしっかり固定することで天井と天井設置面を密着させて家具をしっかり固定させるため、いままでは斜め天井には適さなかった既成の突っ張り家具を使用可能にし、狭い場所で使える収納家具等の選択肢を拡げることができる。
天井設置面の部品は左右自由に角度を調整できるので、あらゆる斜度の天井に対応することができる。
【図面の簡単な説明】
【０００６】
【図１】  正面図  突っ張り家具パイプ上部の一部をカットした（Ｂ）と、傾斜用パーツ（Ａ）を組合せた（Ｃ）図、および天井接着面よりの透視図（Ｇ）、および下部パイプ部分の図。
【図２】  側面図  突っ張り家具パイプ上部の一部をカットした（Ｂ）と、傾斜用パーツ（Ａ）を組合せた（Ｃ）図、および天井接着面を傾斜天井に合わせた場合の左、右に傾斜させた図（Ｈ）。
【符号の説明】
【０００７】Ａ、  パーツの太い部分。
Ａ’、パーツの細い部分。
Ｂ、  パーツの太い部分。
Ｂ’、パーツの細い部分。
Ｄ、  ネジ締めボルト通し穴。
Ｅ、  突っ張り家具用パイプ接続部分。
ア、  Ａパーツ直立図。
イ、  Ａパーツ左傾斜図。
ウ、  Ａパーツ右傾斜図。
(57)【要約】【課題】化粧コンパクトケースで持ち運ぶパウダーファンデーションは、残りが少なくなってくると割れて粉々になってしまい、粉がコンパクトケースから飛び散り、周りを汚してしまうが、それを防ぎ、また粉々になったファンデーションも最後まで使い切るための化粧コンパクトケースを提供する。【解決手段】化粧コンパクトケースにレフィル周囲立ち上がり（３）と、レフィルとスポンジを入れる面の間にセパレーター（４）を設け、その上にスライドして動き、レフィルかスポンジのどちらか一方が隠れるシャッター（２）をつけることによって、ファンデーションの粉の飛び散りを防ぐ。【選択図】図１
2012050805.tif 000002
【特許請求の範囲】
【請求項１】
化粧コンパクトケースのレフィルとスポンジを置く面の上部周囲四方にスリット（１）を設け、そこにスライドして動き、レフィルかスポンジどちらか一方が隠れるシャッター（２）を設けた化粧コンパクトケース。
【請求項２】
スライドシャッター（２）下面部に接するように、レフィル周囲立ち上がり（３）部を持つ、請求項１のコンパクトケース。
【請求項３】
レフィルとスポンジ置きの間にスライドシャッター（２）下面部と接するセパレーター（４）を設けた、請求項１のコンパクトケース。
【発明の詳細な説明】
【技術分野】
【０００１】本発明は、パウダータイプのファンデーションレフィルを使う化粧コンパクトケースで、パウダーの固まりが割れた後等に、コンパクト周りがパウダーファンデーションで汚れないようにするための、化粧コンパクトケースに関するものである。
【背景技術】
【０００２】パウダーファンデーション用の化粧コンパクトケースの形態は、開くと内側上面が鏡になっており、内側下面の半分にパウダーファンデーションレフィル、もう半分にスポンジを入れるだけのものが、大多数を占めている。
【発明の概要】
【発明が解決しようとする課題】
【０００３】従来の化粧コンパクトケースは、次のような欠点があった。
（イ）パウダーファンデーションの残りが少なくなってくると、固まりが割れて粉々になってしまい、それがバッグや化粧ポーチの中に入れて持ち運ぶ途中であったりすると、化粧コンパクトケースから粉が飛び散り、バッグや化粧ポーチの中を汚してしまった。
（ロ）粉々になったパウダーファンデーションをそのまま化粧コンパクトケースに入れて、最後まで使い切ることが難しかった。
本発明は、以上の問題点を解決するために発明されたものである。
【課題を解決するための手段】
【０００４】化粧コンパクトケースを開いた時の内側下面（レフィルとスポンジを入れる面）の上部周囲四方にスリット（１）を設け、そこにスライドして動き、レフィルまたはスポンジのどちらか一方が隠れるシャッター（２）を設ける。
また、レフィル周囲を立ち上がりで囲み（３）、スライドシャッター下面部と接する。
レフィルとスポンジを入れる面の間にセパレーター（４）を設ける。
以上の構成よりなる化粧コンパクトケース。
【発明の効果】
【０００５】本発明を使用することによって、固形のパウダーファンデーションが残り少なくなって、持ち運んでいるうちに割れて粉々になったとしても、化粧コンパクトケースの外に飛び散るのを防ぐことができる。
毎回の使用後は、スポンジを収納するために、シャッターをレフィル側にスライドさせてしまうことになるので、レフィル側をカバーし忘れる失敗がない。
また、シャッターがスポンジ置き場所上部にスライドされる時、レフィル周囲立ち上がり上部のヘリに接してスライドしていき、シャッター下面についてしまった粉はレフィル側に落ち、また中央にあるセパレーターによってレフィル側の粉を二重に防ぎ、粉々になったファンデーションも最後まで使い切ることができる。
【図面の簡単な説明】
【０００６】
【図１】本発明の斜視図である。
【図２】本発明のシャッター・コンパクト蓋のない状態の平面図である。
【図３】本発明の側面方向からの断面図である。
【発明を実施するための形態】
【０００７】以下、本発明の実施の形態を説明する。
（イ）化粧コンパクトケース（５）を開いた時の内側下面（ファンデーションレフィルとスポンジを入れる面）の上部周囲四方にスリット（１）を設け、そこに左右にスライドして動き、レフィルまたはスポンジのどちらか一方が隠れる大きさのカバーシャッター（２）を設ける。
（ロ）レフィルは入れた周囲を、合成樹脂、天然ゴム、合成ゴム、フェルト、合成繊維、コルク、紙類、竹、木材、その他等で囲み（３）、その立ち上がりはスライドするシャッター（２）の下面部と接する。
（ハ）レフィルとスポンジを入れる面の、レフィルとスポンジの間に、シャッター下面部と接する高さの、合成樹脂、天然ゴム、合成ゴム、フェルト、合成繊維、コルク、紙類、竹、木材、その他等でできたセパレーター（４）を設ける。
（ニ）シャッター（２）をスライドさせる時に指を引っかけるシャッター取手（突起またはくぼみ）（１０）を設ける。
本発明は以上の構成よりなる。
シャッター（２）がレフィル側にある時は、レフィルのファンデーションは、レフィル周囲の立ち上がり（３）とシャッター（２）によって封をされた状態になるため、ファンデーションの粉が周囲にこぼれない。
シャッター（２）がスポンジ側に移動する際には、シャッター（２）はレフィル周囲立ち上がり（３）に接して移動し、次に中央のセパレーター（４）と接して移動するため、シャッター（２）の下面についてしまったファンデーションの粉はレフィル側に落ち、スポンジ側にいかない。
また、ファンデーション使用後はスポンジをしまうため、シャッター（２）をレフィル側に移動することになるため、シャッター（２）をレフィル側に移動し忘れることがない。
【符号の説明】
【０００８】  １  スライド用スリット
２  シャッター
３  レフィル周囲立ち上がり
４  セパレーター
５  コンパクトケース本体
６  レフィル
７  パフ
８  コンパクトオープンボタン
９  コンパクト蓋
１０  シャッター取手
【図１】
2012050805.tif 000003
【図２】
2012050805.tif 000004
【図３】
2012050805.tif 000005
(57)【要約】【課題】体外離脱応用不老不死製法の薬のケタミン服用応用と記憶物質移植で不老不死を完璧にする。【解決手段】ヘミシンク技術か右脳右角状回電極刺激か右脳聴覚野付近電極刺激かビデオカメラ方式か薬のケタミン服用で体外離脱した意識エネルギーをヒトｉＰＳ肉体に赤外線感知器で誘導固定入れ不老不死にし全記憶も海馬の長期記憶はたんぱく質の一種でそれを老化脳から抽出しｉＰＳで作った新しい脳に注入して記憶移植までもする。【選択図】なし【特許請求の範囲】
【請求項１】
（イ）ヘミシンク技術か右脳右角状回電極刺激か右脳聴覚野付近電極刺激か特殊なヘッドセットでビデオカメラ背中２台、左目に左側のカメラ映像を右目に右側のカメラ、胸をなでると同時に肉体から体外離脱すぐ出来、別の実験では別の場所に体外離脱でき意識エネルギーを上記後者２つはすぐ体外離脱できる。また薬のケタミンを服用すれば確実に体外離脱できる。
（ロ）ヒトｉＰＳ技術で臓器や神経など全身を作り自分の若い頃に似せて外側を作り若返りさせる。
（ハ）そのヒトｉＰＳ肉体に意識エネルギーは赤外線で感知できるので赤外線感知器でそのヒトｉＰＳ肉体に誘導して固定しすべて人間と同じ事ができこの新型万能細胞で自分の皮膚細胞で若返り不老不死を実現する。レトロウイルス培養とガン遺伝子には紫外線Ｂ波かビタミンＤでガンになるのを防ぐ
（ニ）なお記憶を若い肉体に移すには脳移植をするか記憶の移植は長期記憶は脳の中の海馬に蓄えられているのでその長期記憶は脳の中でたんぱく質の一種である記憶物質なので記憶物質と推定される部分のたんぱく質を老化した脳の海馬から全記憶のたんぱく質を抽出しｉＰＳで作った若い肉体の脳に注入して記憶の移植をする。
以上の如く特徴を持つヒトｉＰＳ若返り肉体方式薬のケタミン服用体外離脱応用たんぱく質記憶物質移植不老不死製法２。
【発明の詳細な説明】
【技術分野】
【０００１】本発明は、ヒトｉＰＳ若返り肉体方式薬のケタミン服用体外離脱応用たんぱく質記憶物質移植不老不死製法２に関する。
【背景技術】
【０００２】従来、ヒトｉＰＳ若返り肉体方式薬のケタミン服用体外離脱応用不老不死製法に関する技術はあったが記憶物質移植はなかった。【０００３】
【非特許文献１】「日経サイエンス」２００８年１月号、２０頁から２１頁、６８頁から７６頁
【非特許文献２】「毎日新聞」２００７年１１月２１日、１頁と３頁。
【非特許文献３】「別冊日経サイエンス知覚は幻」２０１０年１０月１５日、１１４頁−１１７頁
【非特許文献４】「ｉＰＳ細胞が再生医療の扉を開く」２００９年１０月１３日、１９７頁から２０２頁
【非特許文献５】「ムー」２０１１年１１月号、６０頁から８５頁
【発明の開示】
【発明が解決しようとする課題】
【０００４】  従来、ヒトｉＰＳ若返り肉体方式薬のケタミン服用体外離脱応用不老不死製法に関する技術はあったが記憶物質移植なかったので最新技術よって実現させる。
【課題を解決するための手段】
【０００５】  ヘミシンク技術か右脳右角状回電極刺激や右脳聴覚野付近電極刺激やビデオカメラ方式や薬のケタミン服用で体外離脱した意識エネルギーをヒトｉＰＳ若返り肉体に赤外線感知器で入れ固定することで肉体人間同様の行動はすべてできるものとする。なおたんぱく質記憶物質移植で完璧にする。
【発明の効果】
【０００６】  薬のケタミン服用で確実に体外離脱でき記憶物質移植でｉＰＳ不老不死の肉体と記憶意識が可能になる。
【発明を実施するための最良の形態】
【０００７】    以下、本発明の実施例について時系列的論理的に文章で説明する。先ず、ヘミシンク技術か右脳右角状回電極刺激か右脳聴覚野付近電極刺激か特殊なヘッドセットでビデオカメラ背中２台、左目に左側のカメラ映像を右目に右側のカメラ、胸をなでると同時に肉体から体外離脱すぐでき、別の実験では別の場所に体外離脱でき意識エネルギーを上記２つはすぐ体外離脱できる。また薬のケタミン服用で確実に体外離脱できる。ヒトｉＰＳ技術で臓器や神経など全身を作り自分の若い頃に似せてサイボーグの外側を作り若返りさせる。そのヒトｉＰＳ肉体に意識エネルギーは赤外線で感知できるので赤外線感知器でそのヒトｉＰＳ肉体に誘導して固定しすべて人間と同じ事ができこの新型万能細胞で自分の皮膚細胞で若返り不老不死を実現する。レトロウイルス培養とガン遺伝子には紫外線Ｂ波かビタミンＤでガンになるのを防ぐ。なお記憶を若い肉体に移すには脳移植か老化した脳の海馬の長期記憶はたんぱく質の一種で記憶物質なのでこの全記憶のたんぱく質を抽出しｉＰＳで作った若い肉体の脳に注入して記憶までも移植する。
以上の如く特徴を持つヒトｉＰＳ若返り肉体方式薬のケタミン服用体外離脱応用たんぱく質記憶物質移植不老不死製法２。
(57)【要約】      （修正有）【課題】循環配管を施した常時一定の動力で水を供給する水供給設備において、各ユースポイントでの送水圧力を一定に保つ様にし、又水供給設備の系内に水処理機器が有る場合でも、水量が増えた時に水処理機器に処理能力以上の過負荷を掛ける事がないようにする。【解決手段】循環配管を施した水供給設備において、ユースポイントでの水使用量の増減により、前記課題の状況が生じるので、その変動を自動制御システムにより制御し、送り側送水圧力と送水量を粗一定に保つ様に調節する事により、各ユースポイントでの圧力を一定に保ち、又水処理機器４に過負荷が掛らない様にする。【選択図】図１
2012050971.tif 000002
【特許請求の範囲】
【請求項１】
水供給設備において循環配管を施工し、配管系内のユースポイント全体での水使用量が増減しても、各ユースポイントの各供給圧を粗一定に保ち、各ユースポイント先の水使用設備の安定運転が出きる様に、送り側送水配管の送水圧力及び送水流量が自動で一定になる様な自動制御システムを備えた水供給設備と循環配管、及び施工方法。
【発明の詳細な説明】
【技術分野】
【０００１】  本発明は、水供給設備において循環配管系内のユースポイント全体での水使用量が増減しても、送水圧力と流量が自動で一定になる水供給設備配管に関するものである。
【背景技術】
【０００２】  半導体等の電子部品製造工程の洗浄工程で使用される純水の供給設備に施工される循環配管は、予め全ユースポイントで、使用予定最大水量より多量（一般的に２０％前後）に送水し、供給に必要な送り側圧力と水量及び、戻り側圧力と水量が調節できる一番適した点で送水側の供給出力を調節（１…供給ポンプ電動機の３…インバーター制御による出力調節、あるいはポンプ吐出側の２…出力調節弁の開度調節）し一定に保ち、循環配管の戻り側端末に１５…戻り側圧力調節弁（ＰＣＶ）を設けてユースポイントで必要とされる圧力調節を行い、各ユースポイントで使用される水量の増減に合わせて循環配管戻り側端末の１５…戻り側圧力調節弁（ＰＣＶ）の開度を調節して管内の圧力変動が小さくなる様に調節して、各ユースポイントでの供給圧力制御を行っていた。【０００３】  しかし、ユースポイントで使用される水量増加により、２１…循環配管戻り側の流量が減りそれに伴い、２１…循環配管戻り側の圧力損失が減少するので循環配管全体の圧力損失が減少する事になり、その為に図１の５…送り側配管Ａ点の圧力が低下するだけでなく送水出力を一定にしている為に圧力が低下した分、流量が増加する事になり４…水処理機器部に設計値以上の処理負荷が掛り供給水の水質低下の原因にもなる欠点があった。【０００４】  この改善策として、送り側管内圧力測定機器と戻り側管内圧力測定機器、演算機（シーケンサー）、演算機への入出力信号変換機を設け、ユースポイントでの水使用量の増減に伴う、配管内圧力損失の増減による送り側の送水圧力と送水流量の変動を自動で一定に保ち、各ユースポイントで一度水量調節したらその後は安定した常態で水供給が出きる様にする。
【先行技術文献】
【特許文献】
【０００５】
【特許文献１】  特開２００３−１４５１４８号公報
【発明の概要】
【発明が解決しようとする課題】
【０００６】  解決しようとする問題点は、従来の循環配管の管内圧力制御方法では制御できていなかった所を、自動制御システム追加により循環配管のユースポイントでの、水使用量の増減変動に対してより安定した水質、水圧で水供給が出きる様にする。
【課題を解決するための手段】
【０００７】  図１は本発明の水供給設備と循環配管のフロー系統図を示す、この図に基づき説明します。全量リターン時（水量一定時）の送り側管内圧力〔Ｐ−Ａ−１〕を配管に取り付けた６…送り側管内圧力測定センサー（ＰＳ−１）と７…送り側圧力指示調節計（ＰＩＣ−１）により測定、戻り側管内圧力〔Ｐ−Ｂ−１〕を配管に取り付けた１２…戻り側管内圧力測定センサー（ＰＳ−２）と１３…戻り側圧力指示調節計（ＰＩＣ−２）により測定し、全
2012050971.tif 000003
水使用時（流量変動時）の送り側管内圧力〔Ｐ−Ａ−２〕を６…送り側管内圧力測定センサー（ＰＳ−１）と７…送り側圧力指示調節計（ＰＩＣ−１）により測定、戻り側管内圧力〔Ｐ−Ｂ−２〕を１２…戻り側管内圧力測定センサー（ＰＳ−２）と１３…戻り側圧力
2012050971.tif 000004
演算値も含む専用の演算ソフトを打ち込んだ１６…シーケンサー（ＰＣ）に各管内圧力測定のアナログ値を１７…アナログ・デジタル信号変換機１（Ａ／Ｄ−１）と１８…アナログ・デジタル信号変換機２（Ａ／Ｄ−２）を介して１６…シーケンサー（ＰＣ）に取り込
2012050971.tif 000005
要な１４…戻り側配管Ｂ点での管内圧力値の１３…戻り側圧力指示調節計（ＰＩＣ−２）の圧力調節値セットポイント（ＳＰ）の圧力値〔Ｐ４〕に差圧〔Ｐ３〕をプラス演算した値〔Ｐ５〕を１６…シーケンサー（ＰＣ）から１９…デジタル・アナログ信号変換機１（Ｄ／Ａ−１）を介して、１３…戻り側圧力指示調節計（ＰＩＣ−２）の圧力調節値セットポイント（ＰＳ）の値に、変動する〔Ｐ５〕の値を自動入力する事により、５…送り側配管Ａ点の管内圧力と９…送り側流量計（ＦＩＱ−１）の値を粗一定に保ち、各ユースポイントでの供給状況を安定させ使用水量の変動があっても各ユースポイントでの供給水量を一定に保つ事が出来る。
【発明の効果】
【０００８】  本発明の水供給設備と循環配管の供給圧力制御方法により、各ユースポイント先に接続された精密機器製造装置等の水洗浄工程での異状発生が減り、生産効率が上り歩留まりも良くなる。
【図面の簡単な説明】
【０００９】
【図１】  本発明の水供給設備と循環配管の圧力調節システムの制御機器を記したシステムフロー図である。
【図２】  高純度純水供給設備の実施例を示したシステムフロー図である。
【発明を実施するための形態】
【００１０】  既存する高純度純水設備の運転制御システムに一部の制御機器の追加と、電子式演算機〔シーケンサー（ＰＣ）〕に本発明の圧力調節システムの演算回路、及び遅延回路等のソフトを追加し、シーケンサー（ＰＣ）と自動圧力制御機器との制御入出力信号を遣り取りする事により実施できる。
【図面の符号説明】
【００１１】  １…供給ポンプ、２…出力調節弁、３…インバーター（ＶＶＶＦ）、４…水処理機器、５…送り側配管Ａ点、６…送り側管内圧力測定センサー（ＰＳ−１）、７…送り側圧力指示調節計（ＰＩＣ−１）、８…送り側流量測定センサー（ＦＳ−１）、９…送り側流量指示計（ＦＩＱ−１）、１０…戻り側流量測定センサー（ＦＳ−２）、１１…戻り側流量指示計（ＦＩＱ−２）、１２…戻り側管内圧力測定センサー（ＰＳ−２）、１３…戻り側圧力指示調節計（ＰＩＣ−２）、１４…戻り側配管Ｂ点、１５…戻り側圧力調節弁（ＰＣＶ）、１６…シーケンサー（ＰＣ）、１７…アナログ・デジタル信号変換機１（Ａ／Ｄ−１）、１８…アナログ・デジタル信号変換機２（Ａ／Ｄ−２）、１９…デジタル・アナログ信号変換機１（Ｄ／Ａ−１）、２０…循環配管送り側、２１…循環配管戻り側、２２…貯水槽、２３…貯水槽水位調節弁（ＬＣＶ）。
【図１】
2012050971.tif 000006
【図２】
2012050971.tif 000007
(57)【要約】【課題】平型素子は規定及び均一圧接力で圧接する特殊設備を使用し組立を実施するため、圧接方法の容易化及び平型素子故障時の交換作業時間短縮化する課題がある。【解決手段】平型素子1の裏面にヒートシンク2を設けた平型素子1、圧接力を発生させる皿ばね3、製造及び組立公差による皿ばね3の偏芯吸収する球面座金4、皿ばね及び球面座金を保持するばね受け5、皿ばねを押さえるばね押さえ6、ナット7、ワッシャ8で各構成品を固定するスタットボルト9を備える。またばね受け５に圧接力を読み取る目盛り１０を表示することを特徴とする。ばね受け5に目盛り10を表示することにより、平型素子1圧接時にばね押さえ6からのばね受け5突出量を目盛り10で確認し圧接力を管理、特殊設備が不要で圧接力管理を容易化できる。【選択図】図１
2012243904.tif 000002
【特許請求の範囲】
【請求項１】
鉄道車両の床下に装着される車両用制御装置内に配設される平型素子において、
該平型素子の裏面にヒートシンクを配設し、該ヒートシンク側に前記平型素子への圧接力の支持棒となるスタッドボルトを前記平型素子の両側に配設し、該スタッドボルトにナットにより該圧接力を調整して係止される圧接力支持体を配設し、該圧接力支持体に前記圧接力を発生させる皿ばねと、該皿ばねの保持体を介して前記平型素子と当接し、該保持体に製造及び組立公差による皿ばねの偏芯を吸収する球面座金を具備することを特徴とする平型素子圧接構造。
【請求項２】
前記皿ばねの保持体に目盛りを表示することを特徴とする請求項１記載の平型素子圧接構造。
【発明の詳細な説明】
【技術分野】
【０００１】
本発明は、鉄道車両用制御装置に関し、特に平型素子の裏面にヒートシンクを設けた平型素子の圧接構造に関するものである。
【背景技術】
【０００２】
平型素子は規定圧接力に圧接して使用することが要求される。また、平型素子は均一圧接力で圧接することが要求される。
【０００３】
従来の圧接構造では平型素子を圧接する際、平型素子に加わる圧接力はロードセル等を使用し管理していた。
【０００４】
平型素子故障時の交換作業は、ユニットを鉄道車両用制御装置から取り外し、ロードセル等を有する作業場に持ち帰りユニットにおいて必要規定圧力で締め付け固定し、平型素子を交換していた。
再度ユニットを作業場から搬出し、鉄道車両用制御装置に取り付けていた。
【先行技術文献】
【特許文献】
【０００５】
【特許文献１】実開昭６１−１２６８４号公報
【発明の概要】
【発明が解決しようとする課題】
【０００６】
しかし、平型素子の圧接力を管理するためにはロードセル等にて、ユニットとして必要規定圧力で締め付けは交換毎に必要である。
製造及び組立公差が発生するため、平型素子が均一圧接力で圧接されていないおそれがある。
【０００７】
平型素子故障時の交換作業はロードセル等を有する作業場までユニットを持ち帰り、平型素子交換後鉄道車両用制御装置に取り付けるため、ユニットとして必要規定圧力で締め付けるなど多くの作業時間が発生する課題がある。
【０００８】
本発明は、平型素子の規定及び均一圧接力の管理方法容易化、交換作業時間の短縮を目的とする。
【課題を解決するための手段】
【０００９】
上記目的を達成するために、請求項１の発明によれば、鉄道車両の床下に装着される車両用制御装置内に配設される平型素子において、該平型素子の裏面にヒートシンクを配設し、該ヒートシンク側に前記平型素子への圧接力の支持棒となるスタッドボルトを前記平型素子の両側に配設し、該スタッドボルトにナットにより該圧接力を調整して係止される圧接力支持体を配設し、該圧接力支持体に前記圧接力を発生させる皿ばねと、該皿ばねの保持体を介して前記平型素子と当接し、該保持体に製造及び組立公差による皿ばねの偏芯を吸収する球面座金を具備すること特徴とする。
【００１０】
すなわち、本発明の平型素子圧接構造は、平型素子1の裏面にヒートシンク2を設けた平型素子1、圧接力を発生させる皿ばね3、製造及び組立公差による皿ばね3の偏芯吸収する球面座金4、皿ばね及び球面座金を保持するばね受け5、皿ばねを押さえるばね押さえ6、ナット7、ワッシャ8で各構成品を固定するスタットボルト9を備える。
ここで、理解を容易にするためにカッコ内には、図面に示し後述する実施例の対応又は相当要素の記号を、例示として参考までに付記した。以下も同様である。
【００１１】
請求項２の発明によれば、請求項１の発明に加えて、前記皿ばねの保持体に目盛りを表示することを特徴とする。
【００１２】
すなわち上記平型素子を圧接する構造として、ばね受け５に圧接力を読み取る目盛り１０を表示することを特徴とする。
【発明の効果】
【００１３】
ばね受け5に目盛り10を表示することにより、平型素子1圧接時にばね押さえ6からのばね受け5突出量を目盛り10で確認し圧接力を管理、特殊設備が不要となるため圧接力管理を容易化できる。
【図面の簡単な説明】
【００１４】
【図１】本発明の一実施例の平型素子圧接構造を示し、（ａ）は平面図、（ｂ）は右        側面図、（ｃ）は背面図、（ｄ）は球面座金部断面である。
【図２】図１に示す平型素子圧接構造の分解斜視図である。
【発明を実施するための形態】
【００１５】
本発明の他の目的および特徴は、図面を参照した以下の実施例説明にて示す。
【実施例１】
【００１６】
図１に、本発明の一実施例である平型素子圧接構造を示す。図１の（ａ）は平面図、（ｂ）は右側面図、（ｃ）は背面図、（ｄ）は球面座金部断面である。鉄道車両用制御装置に搭載し、電圧の変化による素子の破損を防止します。図２は、図１に示す平型素子圧接構造の分解斜視図を示す。
【００１７】
図２に示す１が平型素子であり、本実施例では５ばね受けに対し３皿ばね４球面座金を組み込み、９スタッドにボルトに取り付けた６ばね押さえを７ナットで締め付けることで３皿ばねが圧縮されることにより、３皿ばねが発生させる反力で１平型素子を圧接する構造である。
【００１８】
７ナットで締め付ける際に５ばね受けに１０目盛りを表示することにより、６ばね押さえからの突出量により、１平型素子の規定圧接力を管理している。
【００１９】
図１に示す、４球面座金は各構成品の製造及び組立公差による、３皿ばね反力の偏芯を４球面座金の球面で受けることにより、１平型素子の圧接面法線方向に圧接でき、均一圧接力で圧接出来る構造となっている。（図１の（d））
【００２０】
１平型素子故障時の交換作業は、７ナット８ワッシャ６ばね押さえ３皿ばね４球面座金５ばね受けを取り外し、１平型素子を交換、再度取り外した構成品の組立を実施することにより、規定圧力及び均一圧力で圧接力の管理が可能であり、全ての交換作業が鉄道車両用制御装置内で行える。
【符号の説明】
【００２１】
１．  平型素子
２．  ヒートシンク
３．  皿ばね
４．  球面座金
５．  ばね受け
６．  ばね押さえ
７．  ナット
８．  ワッシャ
９．  スタッドボルト
１０．目盛り
【図１】
2012243904.tif 000003
【図２】
2012243904.tif 000004
(57)【要約】      （修正有）【課題】均一性に優れた高品質な薄膜が形成可能な、酸化物薄膜原料を含んだ水溶液の霧化による薄膜形成用の量産装置を提供する。【解決手段】基板が成長室６の上側に固定して設置され、その下側に設置された貫通孔プレート４とそのさらに下側に設置された整流羽根５の両者が回転することにより、基板に対して均一にミスト７を供給することが可能となる。また、回転部分である貫通孔プレート４と整流羽根５の両者が一体で、これが固定されている基板２に対して回転する。これにより、両者を一体で製作するため部品数が少なくなり、かつ回転部分を一箇所のみにすることができるため、装置構造を簡略化することができる。また、基板回転を行わないため、基板加熱機構（ヒータ）１も簡略化できる。【選択図】図１
2012243988.tif 000002
【特許請求の範囲】
【請求項１】
基板が上側に固定して設置され、その下側に設置された貫通孔プレートとそのさらに下側に設置された整流羽根の両者が回転する構造を備えたミストを用いた薄膜形成装置。
【請求項２】
回転部分である貫通孔プレートおよび整流羽根が一体であり、これが固定されている基板に対して回転する構造を備えたミストを用いた薄膜形成装置。  
【請求項３】
回転部分である貫通孔プレートおよび整流羽根と基板の間隔が１０ｍｍ以下の間隔であることを特徴とするミストを用いた薄膜形成装置。
【請求項４】
上記請求項において、貫通孔プレートおよび整流羽根を石英ガラスまたは金属母材上に耐酸性コーティングした材料により形成することを特徴とするミストを用いた薄膜形成装置。
【請求項５】
上記請求項４において、貫通孔プレートおよび整流羽根を金属母材上に酸化スズで耐酸性コーティングした材料により形成することを特徴とするミストを用いた薄膜形成装置。
【請求項６】
上記請求項において、成長室内におけるミストの結露による液体を抜き取る孔、および液体が成長室下部に垂れるのを防止する傘を設置することを特徴とするミストを用いた薄膜形成装置。
【請求項７】
光を用いて薄膜形成中に膜厚を測定することを特徴とするミストを用いた薄膜形成装置。
【発明の詳細な説明】
【技術分野】
【０００１】
本発明は、酸化物薄膜の形成装置に関する。
【背景技術】
【０００２】
現在、酸化物薄膜は、太陽電池やディスプレイの透明導電膜としてスズ添加酸化インジウム（ＩＴＯ）等が使用されている。また、照明用光源材料である窒化ガリウムに次ぐ発光材料として酸化亜鉛も注目されている。通常、これら酸化物薄膜は、スパッタなど真空を用いた装置により形成される。今後、低コスト化の要求に応じるため、真空を用いない薄膜形成装置の開発が必要である。酸化物薄膜原料を含んだ水溶液の霧化による薄膜形成は既に３０年程前から研究開発されているが、量産装置としてはほとんど実用化されていない。この一つの要因としては、均一性に優れた高品質な薄膜が形成困難であることが理由と思われる。
【発明の概要】
【発明が解決しようとする課題】
【０００３】
本発明は、かかる問題点に鑑みてなされたものであり、その目的は均一性に優れた薄膜が形成できる装置を開発することにある。
【課題を解決するための手段】
【０００４】
図１は、本発明に係る薄膜形成装置の図である。
【０００５】
通常の薄膜形成装置では、基板２が成長室６内の下側に設置されるが、基板温度が高温の場合、ミスト７を含んだ気体が対流により上昇し、基板２への付着確率が減少すると共に、基板上における流れが乱れる。そこで、本発明では基板が成長室６の上側に固定して設置され、その下側に設置された貫通孔プレート４とそのさらに下側に設置された整流羽根５の両者が回転することにより、基板に対して均一にミスト７を供給することが可能となる。また、本発明では基板２が上側に設置されるため、ミスト７が結露して液垂れを起こしても基板上に垂れることが無い。
【発明の効果】
【０００６】
本発明においては、回転部分である貫通孔プレート４と整流羽根５の両者が一体で、これが固定されている基板２に対して回転する。これにより、両者を一体で製作するため部品数が少なくなり、かつ回転部分を一箇所のみにすることができるため、装置構造を簡略化することができる。また、基板回転を行わないため、基板加熱機構（ヒータ）１も簡略化できる。
【図面の簡単な説明】
【０００７】
【図１】本発明に係る薄膜形成装置の図である。
【発明を実施するための形態】
【０００８】
回転部分である貫通孔プレート４と基板２の間隔は、１０ｍｍ以下の狭い間隔とする。また、好ましくは５ｍｍ以下、さらに最適寸法としては２ｍｍ以下である。この狭い間隔であることのメリットは、ミスト７が基板の熱で爆発的に気化する際、その気化した圧力を基板側に加え、薄膜の原料を十分に基板２に供給できる点である。例えば、酸化物薄膜を形成する際、酸素欠陥を削減するためには、十分な酸素供給が必要であり、この狭い間隔が有効に機能する。
【０００９】
上記のようなミストを用いた薄膜形成装置を製作する際、ミストとして酸やアルカリを用いる場合が多く、材料の腐食を避けるため、貫通孔プレート４と整流羽根５を石英ガラスまたは金属母材上に耐酸性コーティングした材料により形成する。また、耐酸性コーティングの一例としては、ほとんどの酸に耐性を有する酸化スズが挙げられる。
【００１０】
成長室内においてはミスト７の結露が生じるため、この液体を抜き取る孔１４、および液体が成長室下部の例えばモータに垂れるのを防止する傘１３を設置することが必要となる。
【００１１】
薄膜形成中に膜厚を測定するため、上側に設置した基板２のさらに上側から光ファイバーまたは直接光を導き基板に照射し、その反射光または透過光を検出することにより、膜厚を検出することができる。
【符号の説明】
【００１２】
１…ヒータ
２…基板
３…基板ホルダ
４…貫通孔プレート
５…整流羽根
６…成長室
７…ミスト
８…キャリアガス導入管
９…原料溶液
１０…超音波振動子
１１…カップリング
１２…モータ
１３…液垂れ防止傘
１４…液抜き孔
【図１】
2012243988.tif 000003